(57)【要約】【課題】内蔵した電気部品からの音や振動の伝達を十分に抑制することができる電気接続箱を提供する。【解決手段】端子１１５，１１６を有したリレー１１と、そのリレー１１の端子１１５，１１６に一端が接続される電線１２と、その電線１２の他端が接続される外部接続端子と、リレー１１を収容する絶縁樹脂製のケース体と、を備え、前記ケース体は、リレー１１を収容する収容部と、該収容部から電線１２を導出させる導出部と、を有して形成され、電線１２は、前記導出部から導出された導出方向Ｄ１，Ｄ２に延びる第一延出部１２３と、その第一延出部１２３から所定方向Ｄ３，Ｄ４に曲げられる曲げ部１２４と、その曲げ部１２４に連続して前記導出方向Ｄ１，Ｄ２と異なる方向Ｄ５，Ｄ６に延びる第二延出部１２５と、を有した屈曲状態で配索されている。【選択図】図９
2015023590.tif 000002
【特許請求の範囲】
【請求項１】
端子１１２を有した電気部品１１と、該電気部品の端子に一端が接続される電線１２と、該電線の他端が接続される外部接続端子１３１ａと、前記電気部品を収容する絶縁樹脂製のケース体１３と、を備えた電気接続箱１Ａであって、
前記ケース体は、前記電気部品を収容する収容部１３３と、該収容部から前記電線を導出させる導出部１３４と、を有して形成され、
前記電線は、前記導出部から導出された導出方向Ｄ１，Ｄ２に延びる第一延出部１２３と、該第一延出部から所定方向Ｄ３，Ｄ４に曲げられる曲げ部１２４と、該曲げ部に連続して前記導出方向と異なる方向Ｄ５，Ｄ６に延びる第二延出部１２５と、を有した屈曲状態で配索されていることを特徴とする電気接続箱。
【請求項２】
前記電気部品の前記端子は、第一端子１１５及び第二端子１１６の一対で構成され、前記電線は、前記第一端子に接続される第一電線１６と、前記第二端子に接続される第二電線１７と、を有して構成され、
前記第一電線及び前記第二電線における前記第二延出部の少なくとも一部は、互いに所定間隔を介して略平行に並んで設けられていることを特徴とする請求項１に記載の電気接続箱。
【請求項３】
前記電気部品における前記第一端子と前記第二端子とが並設される並設方向を含んだ所定平面内において、前記電線が前記屈曲状態で前記ケース体に支持されていることを特徴とする請求項２に記載の電気接続箱。
【請求項４】
前記電線における前記第二延出部は、前記導出方向と反対方向に延びて設けられ、該電線の他端は、前記反対方向に沿って前記電気部品を越えた位置に設けられていることを特徴とする請求項１〜３のいずれか一項に記載の電気接続箱。
【発明の詳細な説明】
【技術分野】
【０００１】
本発明は、自動車に搭載される電気接続箱に関するものである。
【背景技術】
【０００２】
自動車に搭載される電気接続箱は、リレーやヒューズ、ヒュージブルリンク等の電気部品と、このような電気部品を収容する絶縁樹脂製の箱本体（ケース体）と、電気部品と外部機器とを電気的に接続する外部端子を備えたものが一般的であり、箱本体に設けられた固定部が車両パネル等にボルト固定されている。このような電気接続箱では、収容した電気部品が音や振動を発生するものの場合（例えば、リレー等）、その音や振動が箱本体を介して自動車のボディに固体伝搬音として伝達され、搭乗者に不快感を与える可能性がある。そこで、遮音性を考慮した電気接続箱が提案されている（例えば、特許文献１参照）。
【０００３】
特許文献１記載の電気接続箱は、リレーと、回路基板と、器体（ケース体）とを備えて構成され、リレーが緩衝材を介して回路基板に載置されており、この緩衝材によって音や振動の伝達を抑制しようとするものである。
【先行技術文献】
【特許文献】
【０００４】
【特許文献１】特開２０００−１６４０９７号公報
【発明の概要】
【発明が解決しようとする課題】
【０００５】
しかしながら、特許文献１に記載された従来の電気接続箱では、リレーの端子と回路基板とを電気的に接続するバスバを介してリレーの音や振動が回路基板に伝わり、さらに、この回路基板が器体（ケース体）に接触状態でボルト固定されていることから、回路基板に伝わった音や振動がケース体へと直接伝達してしまう問題がある。
【０００６】
したがって、本発明は、内蔵した電気部品からの音や振動の伝達を十分に抑制することができる電気接続箱を提供することを目的とする。
【課題を解決するための手段】
【０００７】
上記課題を達成するために請求項１に記載の電気接続箱は、端子を有した電気部品と、該電気部品の端子に一端が接続される電線と、該電線の他端が接続される外部接続端子と、前記電気部品を収容する絶縁樹脂製のケース体と、を備えた電気接続箱であって、前記ケース体は、前記電気部品を収容する収容部と、該収容部から前記電線を導出させる導出部と、を有して形成され、前記電線は、前記導出部から導出された導出方向に延びる第一延出部と、該第一延出部から所定方向に曲げられる曲げ部と、該曲げ部に連続して前記導出方向と異なる方向に延びる第二延出部と、を有した屈曲状態で配索されていることを特徴とする。
【０００８】
請求項２に記載の電気接続箱は、請求項１記載の電気接続箱において、前記電気部品の前記端子は、第一端子及び第二端子の一対で構成され、前記電線は、前記第一端子に接続される第一電線と、前記第二端子に接続される第二電線と、を有して構成され、前記第一電線及び前記第二電線における前記第二延出部の少なくとも一部は、互いに所定間隔を介して略平行に並んで設けられていることを特徴とする。
【０００９】
請求項３に記載の電気接続箱は、請求項２に記載の電気接続箱において、前記電気部品における前記第一端子と前記第二端子とが並設される並設方向を含んだ所定平面内において、前記電線が前記屈曲状態で前記ケース体に支持されていることを特徴とする。
【００１０】
請求項４に記載の電気接続箱は、請求項１〜３のいずれか一項に記載の電気接続箱において、前記電線における前記第二延出部は、前記導出方向と反対方向に延びて設けられ、該電線の他端は、前記反対方向に沿って前記電気部品を越えた位置に設けられていることを特徴とする。
【発明の効果】
【００１１】
請求項１に記載された発明によれば、導出部から導出された電線が導出方向に延びる第一延出部と、曲げ部と、導出方向と異なる方向に延びる第二延出部と、を有した屈曲状態で配索され、この電線の他端に外部接続端子が接続されるので、外部接続端子まで直線的に電線を配索する場合と比較して、電線の配索長を長く確保して電線の振動を抑制することができる。従って、電気部品から音や振動が発生した場合であっても、この音や振動によって電線が振動しにくくでき、電線を介した音や振動の伝達を防止することができる。
【００１２】
請求項２に記載された発明によれば、第一電線及び第二電線における第二延出部の一部が互いに所定間隔を介して略平行に並んで設けられていることで、２本の電線を配索するために必要なエリアを小さくして電気接続箱の小型化を図ることができる。また、２本の電線が所定間隔を介して設けられていることで、互いの振動が伝達されることがなくなり、電線同士の接触等による音の発生を防止することができる。
【００１３】
請求項３に記載された発明によれば、第一端子と第二端子の並設方向を含んだ所定平面内に屈曲状態の電線が設けられることで、所定平面と交差する交差方向に電線が配索されないことから、交差方向におけるケース体の小型化を図ることができる。また、所定平面内に電線が配索されてケース体に支持されることで、ケース体に対して電線を配索しやすくなり、組み付け作業性を向上させることができる。
【００１４】
請求項４に記載された発明によれば、導出方向と反対方向に延びた第二延出部に連続する電線の他端が電気部品を越えた位置に設けられていることで、電線の配索長を確保しつつ電気接続箱をさらに小型化することができる。即ち、導出方向及びその反対方向に向かってＵ字状に電線を配索することで、これらの方向と交差する交差方向には電線の配索エリアを広げる必要がないことから、交差方向における電気接続箱の小型化を図ることができる。
【図面の簡単な説明】
【００１５】
【図１】本発明の第１実施形態にかかる電気接続箱の外観を示す斜視図である。
【図２】電気接続箱の分解斜視図である。
【図３】ケース体に収容される電気部品を示す斜視図である。
【図４】ケース体の上面図である。
【図５】ケース体の右側面図である。
【図６】ケース体の底面図である。
【図７】図６に矢視Ａ線で示す断面図である。
【図８】図６に矢視Ｂ線で示す断面図である。
【図９】電気部品に接続される電線について説明する図である。
【図１０】電気部品に接続される電線について説明する図である。
【図１１】電気接続箱に組みつけられる電線の別例を示す図である。
【図１２】本発明の第２実施形態にかかる電気接続箱の外観を示す斜視図である。
【発明を実施するための形態】
【００１６】
（第１実施形態）
本発明の第１実施形態にかかる電気接続箱を図１〜図１０を参照して説明する。
【００１７】
電気接続箱１Ａは、例えばアイドリングストップ機能を有する自動車に搭載され、複数の大容量バッテリーからの電源について、通常運転時には全バッテリーから各種電気部品へ電源を供給し、アイドリング時には一部を充電用に残してバッテリーからの電源供給を遮断するという通電制御を行うものである。この電気接続箱１Ａは、電気部品としての大容量のリレー１１と、このリレー１１の端子１１２に接続される通電用の電線１２と、リレー１１が収容されるケース体１３と、を備えている。図１は、電気接続箱１Ａの外観を示す斜視図であり、図２は、電気接続箱１Ａの分解斜視図である。また、図３は、ケース体１３に収容されるリレー１１を示す斜視図である。また、図４〜８は、ケース体１３を構成するケース本体１３１について説明する図であり、図９及び図１０は、リレー１１に接続される電線１２について説明する図である。
【００１８】
図２に示されているように、リレー１１は、リレー本体１１１と、電線１２が接続される一対の端子１１２と、リレー本体１１１に制御用電線１１３で接続された制御コネクタ１１４と、を有している。制御コネクタ１１４は、図１に示されているように、外観上、電気接続箱１Ａの外部に露出している。この制御コネクタ１１４には、不図示の外部制御用電線のコネクタが接続される。そして、この外部制御用電線と、制御コネクタ１１４及び制御用電線１１３とを介してリレー１１に、その内部接点を開閉させる制御信号が送信され、この制御信号に応じてリレー１１の内部接点の開閉が行われる。
【００１９】
電線１２は、一端の丸端子１２７がリレー１１の端子１１２にナット１２１で接続されるとともに、他端の丸端子１２８がケース体１３に設けられた外部接続端子１３１ａにナット１２２で接続されるものであり、この電気接続箱１Ａでは、この電線１２が一対備えられている。
【００２０】
ケース体１３は、合成樹脂製のケース本体１３１と、このケース本体１３１の下端部の一部を覆って係止爪によるケース本体１３１への係止によって固定される合成樹脂製のカバー部材１３２と、このケース本体１３１の下端部の残りの部分に開口した後述の穴部１３３ａを覆ってネジ１３３ｃでケース本体１３１に固定される蓋部１３３ｂと、で構成されている。ケース体１３は、リレー１１を非接触かつ該リレー１１の周囲を囲んだ状態で収容する収容部１３３と、この収容部１３３から電線１２を導出させる導出部１３４と、を有して形成されている。
【００２１】
以下、ケース本体１３１について図４〜８を参照して説明する。図４はケース本体１３１の上面図であり、図５はケース本体１３１の右側面図であり、図６はケース本体１３１の底面図であり、図７は図６に矢視Ａ線で示す断面図であり、図８は図６に矢視Ｂ線で示す断面図である。
【００２２】
ケース本体１３１は、カバー部材１３２側となる下縁が前方へと張り出した下縁張出し部１３１ｂを有し、この下縁張出し部１３１ｂの左右両端部それぞれに外部接続端子１３１ａが設けられている。カバー部材１３２は、この下縁張出し部１３１ｂの下面を覆って固定される。また、ケース本体１３１は、カバー部材１３２側とは反対側の上縁が、下縁張出し部１３１ｂとは逆方向となる後方へと張り出した上縁張出し部１３１ｃを有し、この上縁張出し部１３１ｃの左右両端部それぞれに、この電気接続箱１Ａを所定の取付場所に固定するためのボルトが通る貫通孔１３７，１３８を有したカラーが設けられている。本実施形態では、左右２つの貫通孔１３７，１３８のうち、図４や図６では上側に示されている貫通孔１３８が長孔形状となっており、貫通孔１３７，１３８の位置にかかる寸法公差がこの長孔形状によって吸収されるようになっている。また、ケース本体１３１の上面には、図２や図３に示されている制御コネクタ１１４を嵌合させて保持するコネクタ保持部１３１ｄが設けられている。
【００２３】
ケース体１３における収容部１３３は、図６〜図８に示されているように、ケース本体１３１に設けられて下方側に開口した穴部１３３ａと、穴部１３３ａの開口を塞ぐ蓋部１３３ｂと、で構成されている。リレー１１は、この収容部１３３をなす穴部１３３ａに、端子１１２が蓋部１３３ｂと対向する姿勢で収納される。
【００２４】
導出部１３４は、穴部１３３ａにおける左右の側壁に設けられた円筒状の切り欠きであり、一端の丸端子１２７がリレー１１の端子１１２に接続された電線１２は、この導出部１３４を通って穴部１３３ａの外へと導出される。また、下縁張出し部１３１ｂの、カバー部材１３２に覆われる裏面には、左右の電線１２それぞれを外部接続端子１３１ａへと導く左右一対の配索溝１３１ｄが設けられている。電線１２は、導出部１３４から導出された後、この配索溝１３１ｄの内側を通って外部接続端子１３１ａへと導かれ、その導かれた先で、他端の丸端子１２８が外部接続端子１３１ａに接続される。この外部接続端子１３１ａには、上記のバッテリーや各種電装品からの不図示の電線が接続される。電線１２については、後でさらに説明する。
【００２５】
また、左右の導出部１３４のうち図８に示されている導出部１３４の近傍には、第１の制御用導出部１３５と、第２の制御用導出部１３６とが設けられている。第１の制御用導出部１３５は、図２や図３に示されている制御用電線１１３を穴部１３３ａから導出させるものであり、導出部１３４に連続しかつこの導出部１３４よりも深い切り欠きとなって形成されている。第２の制御用導出部１３６は、制御用電線１１３を、コネクタ保持部１３１ｄに保持された制御コネクタ１１４へと至るケース本体１３１の外部を経る経路へと導出するものであり、第一の制御用導出部１３５に隣接した切り欠きとなって形成されている。制御用電線１１３は、第１の制御用導出部１３５及び第２の制御用導出部１３６を経てケース本体１３１の外部に導出され、その先端の制御コネクタ１１４がコネクタ保持部１３１ｄに保持される。
【００２６】
ここで、本実施形態の電気接続箱１Ａは、図２及び図３に示されているように、リレー１１を支持するとともにリレー１１と収容部１３３の内面との間に介装されるインナーモールド１４と、リレー１１を支持するとともに電線１２に巻かれてこの電線１２と導出部１３４との間に介装されるソフトテープ１５と、を備えている。
【００２７】
本実施形態では、インナーモールド１４は、収容部１３３における穴部１３３ａの奥側に設けられる奥側部材１４１と、穴部１３３ａの開口側かつ蓋部１３３ｂの側に設けられる開口側部材１４２と、を有して構成されている。各部材は弾性材料としてのウレタンフォームで形成されており防振性を有するものとなっている。これらの各部材には、リレー１１が嵌め込まれる窪みが設けられており、図３に示されているように、リレー１１は、これら２つの部材によって上下から挟まれ、周囲がインナーモールド１４によって隙間なく包囲された状態で収容部１３３に収容される。また、収容時にはインナーモールド１４が収容部１３３の内面に密接する。また、インナーモールド１４をなす開口側部材１４２の左右両側面には、電線１２を挿通させる挿通部１４３が円筒切り欠き状に形成されている。
【００２８】
ソフトテープ１５は弾性を有するテープ部材であって、リレー１１の端子１１２に接続される電線１２の一端近傍に巻き付けられている。そして、ソフトテープ１５が、インナーモールド１４の開口側部材１４２における挿通部１４３と、ケース体１３における導出部１３４とに亘って嵌め込まれる。
【００２９】
次に、図９及び図１０を参照して、リレー１１に接続される電線１２について説明する。本実施形態では、リレー１１の端子１１２は、第一端子１１５及び第二端子１１６の一対で構成され、電線１２は、第一端子１１５に接続される第一電線１６と、第二端子１１５に接続される第二電線１７と、を有して構成されている。第一電線１６及び第二電線１７は、各々、上記の導出部１３４から、電気接続箱１Ａの左右の幅方向に導出された導出方向Ｄ１，Ｄ２に延びる第一延出部１２３と、この第一延出部１２３から所定方向Ｄ３，Ｄ４（下縁張出し部１３１ｂ側）に曲げられる曲げ部１２４と、この曲げ部１２４に連続して上記の導出方向Ｄ１，Ｄ２と反対方向Ｄ５，Ｄ６に延びる第二延出部１２５と、を有した屈曲状態で、上記の配索溝１３１ｄに配索されている。また、本実施形態では、第一電線１６の第二延出部１２５と、第二電線１７の第二延出部１２５とは、配索溝１３１ｄをなす側壁１３１ｅ（図６参照）によって隔てられることで、互いに所定間隔を介して略平行に並んで設けられている。また、本実施形態では、上記の配索溝１３１ｄの底１３１ｆ（図６参照）が、収容部１３３に収められたリレー１１の第一端子１１５と第二端子１１６と略同じ高さとなっている。これにより、第一電線１６及び第二電線１７は、各々、第一端子１１５と第二端子１１６とが並設される並設方向を含んだ平面内において、上記の屈曲状態でケース体１３に支持されることとなっている。さらに、第一電線１６及び第二電線１７は、各々、上述したように第二延出部１２５が、導出部１３４からの導出方向Ｄ１，Ｄ２と反対方向Ｄ５，Ｄ６に延びて設けられ、それらの他端の丸端子１２８は、その反対方向Ｄ５，Ｄ６に沿ってリレー１１を越えた位置、即ち外部接続端子１３１ａに接続されている。
【００３０】
まず、本実施形態の電器接続箱１Ａでは、導出部１３４から導出された第一電線１６及び第二電線１７の各々が、上記の屈曲状態で配索されて各他端に外部接続端子１３１ａが接続される。このため、外部接続端子１３１ａまで直線的に電線を配索する場合と比較して、第一電線１６及び第二電線１７の各々について、配索長を長く確保して電線の振動を抑制することができる。従って、リレー１１から音や振動が発生した場合であっても、この音や振動によって第一電線１６及び第二電線１７が振動しにくくでき、これらの電線を介した音や振動の伝達を防止することができる。
【００３１】
また、本実施形態の電気接続箱１Ａでは、第一電線１６及び第二電線１７における第二延出部１２５の一部が互いに所定間隔を介して略平行に並んで設けられている。これにより、これら２本の電線を配索するために必要なエリア、即ち、下縁張出し部１３１ｂの張出し寸法を小さくして電気接続箱１Ａの小型化が図られている。また、第一電線１６及び第二電線１７が、配索溝１３１ｄの側壁１３１ｅで隔てられることで所定間隔を介して設けられており、互いの振動が伝達されることがなくなり、電線同士の接触等による音の発生を防止することができる。
【００３２】
また、本実施形態の電気接続箱１Ａでは、リレー１１の第一端子１１５と第二端子１１６の並設方向を含んだ所定平面内に屈曲状態の第一電線１６及び第二電線１７が設けられている。これにより、この所定平面と交差する交差方向（上下方向）に電線が配索されないことがなく、この交差方向におけるケース体１３の小型化が図られている。また、所定平面内に第一電線１６及び第二電線１７が配索されてケース体１３に支持されることで、ケース体１３に対してその底面側からリレー１１、第一電線１６、及び第二電線１７を組み付けることができ、これらの第一電線１６及び第二電線１７を配索しやすくなり、組み付け作業性が向上されている。
【００３３】
さらに、本実施形態の電気接続箱１Ａでは、導出部１３４からの導出方向Ｄ１，Ｄ２と反対方向Ｄ５，Ｄ６に延びた第二延出部１２５に連続する、第一電線１６及び第二電線１７それぞれの端部の丸端子１２８がリレー１１を越えた位置（外部接続端子１３１ａ）に設けられている。これにより、電線の配索長を確保しつつ電気接続箱１Ａについてさらなる小型化が図られている。即ち、第一電線１６及び第二電線１７それぞれが、導出方向Ｄ１，Ｄ２及びその反対方向Ｄ５，Ｄ６に向かってＵ字状に配索されることで、これらの方向と交差する交差方向には電線の配索エリアを広げる必要がなく、この交差方向について電気接続箱１Ａの小型化が図られている。
【００３４】
ここで、本実施形態の電気接続箱１Ａでは、第一電線１６及び第二電線１７のそれぞれが、通電容量を満たす太さの１本の電線で構成されている。しかしながら、電気接続箱１Ａに組みつけられる電線は、このような１本の電線で構成されたものに限るものではなく、以下の別例に示すように、複数本の電線を用いることで通電容量を満たすように構成されたものであってもよい。
【００３５】
図１１は、電気接続箱１Ａに組みつけられる電線の別例を示す図である。この図１１の別例では、第一電線１６’及び第二電線１７’のそれぞれが、複数本の電線１２６により構成されている。第一電線１６’及び第二電線１７’が屈曲形状で配索されていることは、図１０に示されている第１実施形態の第一電線１６及び第二電線１７と同様である。そして、この屈曲形状により、第一電線１６’及び第二電線１７’を振動しにくくでき、これらの第一電線１６’及び第二電線１７’を介した音や振動の伝達を防止することができることは言うまでもない。さらに、複数本の細い電線を用いて第一電線１６’及び第二電線１７’が構成されていることで、各電線の剛性を低くすることができ、音や振動の伝達をより一層低減することができる。
【００３６】
（第２実施形態）
次に、本発明の第２実施形態にかかる電気接続箱を図１２を参照して説明する。尚、この第２実施形態にかかる電気接続箱は、電線の配索経路が、上述した第１実施形態にかかる電気接続箱１Ａと相違している。以下では、第２実施形態にかかる電気接続箱について、この第１実施形態にかかる電気接続箱１Ａとの相違点である配索経路に注目して説明を行う。また、図１２では、図１〜図１０に示されている第１実施形態にかかる電気接続箱１Ａの構成要素と同等な構成要素については図１〜図１０と同じ符号が付されており、以下では、これら同等な構成要素についての重複説明を省略する。
【００３７】
第２実施形態にかかる電気接続箱１Ｂでは、図１２に示されているように、電線１９は、ケース体１８をなすケース本体１８１の外部へと導出され、その外部でＵ字型を描いて配索されて、外部接続端子１８１ａに接続されている。このため、本実施形態では、ケース本体１８１には、第１実施形態におけるケース本体１３１に設けられていたような下縁張出し部や配索溝は設けられていない。
【００３８】
ここで、この電線１９も、上述した第１実施形態における電線１２と同様に、電気接続箱１Ｂの左右の幅方向となる導出方向Ｄ７，Ｄ８に延びる第一延出部１９１と、この第一延出部１９１から所定方向Ｄ９，Ｄ１０（電気接続箱１Ｂの前方側）に曲げられる曲げ部１９２と、この曲げ部１９２に連続して上記の導出方向Ｄ７，Ｄ８と反対方向Ｄ１１，Ｄ１２に延びる第二延出部１９３と、を有した屈曲状態で配索されている。しかしながら、この第２実施形態では、２本の電線１９それぞれの第二延出部１９３は、互いに並んで配索されておらず、また、各電線１９の外部接続端子１８１ａへの接続端は、リレー１１を超える位置にまでは至っていない。このため、第２実施形態にかかる電気接続箱１Ｂは、上述した第１実施形態にかかる電気接続箱１Ａに比べるとやや大型となっているが、電線１９の屈曲形状により、電線１９を振動しにくくでき、これらの電線１９を介した音や振動の伝達を防止することができることは、第１実施形態にかかる電気接続箱１Ａと同様である。
【００３９】
尚、前述した各実施形態は本発明の代表的な形態を示したに過ぎず、本発明は、実施形態に限定されるものではない。即ち、本発明の骨子を逸脱しない範囲で種々変形して実施することができる。
【００４０】
例えば、各実施形態では、電線１２，１６の配索形状としてＵ字状が例示されていたが、このような電線の配索形状はＵ字状に限るものではなく、導出方向に延びる第一延出部と、曲げ部と、導出方向と異なる方向に延びる第二延出部と、を有した屈曲状態であれば、例えばＬ字状等というようにＵ字状以外の形状であってもよい。
【００４１】
また、例えば、各実施形態では、電線１２，１６における第一延出部１２３，１６１及び第二延出部１２５，１６３の延出方向として、電気接続箱１Ａ，１Ｂの左右の幅方向が例示されていたが、この延出方向は電気接続箱の幅方向に限るものではなく、例えば電気接続箱の前後の奥行き方向等であってもよい。
【００４２】
また、各実施形態では、内蔵の電気部品としてのリレー１１と外部接続端子とを結ぶ電線１２，１６が２本設けられている電気接続箱１Ａ，１Ｂが例示されていたが、電気接続箱は、このような電線が１本だけ設けられたものであってもよく、あるいは電線が３本以上設けられたものであってもよい。
【００４３】
また、各実施形態では、電気接続箱の一例として、リレーが１つ収納された電気接続箱１Ａ，１Ｂが例示されていたが、電気接続箱は、複数のリレーが収納されたものであってもよく、あるいは、１つ以上のリレーとヒューズや回路基板等が収納されたものであってもよい。また、電気接続箱は、リレーに限らず、動作時に振動を生ずるリレー以外の電気部品が収納されたものであってもよい。
【符号の説明】
【００４４】
１Ａ，１Ｂ  電気接続箱
１１        リレー
１２，１９  電線
１３，１８  ケース体
１４        インナーモールド
１５        ソフトテープ
１６，１６’  第一電線
１７，１７’  第二電線
１１２      端子
１１５  第一端子
１１６  第二端子
１２３，１９１      第一延出部
１２４，１９２      曲げ部
１２５，１９３      第二延出部
１３１，１８１      ケース本体
１３１ａ，１８１ａ  外部接続端子
１３３      収容部
１３３ａ    穴部
１３４      導出部
【図１】
2015023590.tif 000003
【図２】
2015023590.tif 000004
【図３】
2015023590.tif 000005
【図４】
2015023590.tif 000006
【図５】
2015023590.tif 000007
【図６】
2015023590.tif 000008
【図７】
2015023590.tif 000009
【図８】
2015023590.tif 000010
【図９】
2015023590.tif 000011
【図１０】
2015023590.tif 000012
【図１１】
2015023590.tif 000013
【図１２】
2015023590.tif 000014